【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
入力した記録情報に応じて記録材に画像を形成する画像形成装置であって、
記録のために供給された記録材に無線タグが配置されているかどうかを検出する無線タグ検出手段と、
無線タグが配置されていることを検出したとき、前記記録材に前記無線タグ在りを示す付加情報の記録を発生させる記録制御手段とを備えることを特徴とする画像形成装置。
【請求項２】
前記無線タグに処分が必要な有意情報が有るか否かを判定する判定手段を更に備え、
前記記録制御手段は、該判定手段が無線タグに有意情報が有ると判定した場合に、前記記録材に前記無線タグ在りを示す付加情報の記録を発生させることを特徴とする請求項１に記載の画像形成装置。
【請求項３】
前記無線タグは情報を記憶する記憶手段を有し、
前記判定手段は、前記無線タグ検出手段が前記無線タグの記憶手段から読み出したデータから有意情報が有るか否かを判定することを特徴とする請求項２に記載の画像形成装置。
【請求項４】
前記無線タグは情報を記憶する記憶手段を有し、
前記判定手段は、前記記憶手段への情報の記憶動作により有意情報が有ると判定することを特徴とする請求項２に記載の画像形成装置。
【請求項５】
前記無線タグ在りを示す付加情報は、有意情報が有るか否かの情報を含むことを特徴とする請求項２に記載の画像形成装置。
【請求項６】
前記無線タグは情報を記憶する記憶手段を有し、
前記無線タグ検出手段は、前記無線タグの記憶手段に記憶されているデータから、その無線タグの取付位置情報を読み出し、
前記記録制御手段は、前記取付位置情報に基づいて前記無線タグの取り付け位置の標識となる付加情報の記録を発生させることを特徴とする請求項１又は２に記載の画像形成装置。
【請求項７】
前記無線タグ在りを示す付加情報は、前記無線タグを破壊できる前記記録材上の場所を示すことを特徴とする請求項６に記載の画像形成装置。
【請求項８】
前記無線タグ在りを示す付加情報は、前記無線タグの少なくともアンテナを切断するための切断補助線を含むことを特徴とする請求項７に記載の画像形成装置。
【請求項９】
前記記録制御手段は、前記記録材への記録情報と前記付加情報とが重なる場合に、前記付加情報を記録情報の背景として、或いは記録情報を消さない色及び／又は濃度で発生させることを特徴とする請求項１乃至８のいずれか１つに記載の画像形成装置。
【請求項１０】
前記記録制御手段は、前記記録材への記録情報と前記付加情報とが重ならないように制御する手段を有することを特徴とする請求項１乃至８のいずれか１つに記載の画像形成装置。
【請求項１１】
前記記録制御手段は、前記記録材への記録情報と前記付加情報とが異なる面に記録されるように制御する手段を有することを特徴とする請求項１乃至８のいずれか１つに記載の画像形成装置。
【請求項１２】
前記記録制御手段の制御に基づいて、前記付加情報付きの記録情報を記録する記録手段を有することを特徴とする請求項１乃至１１のいずれか１つに記載の画像形成装置。
【請求項１３】
入力した記録情報に応じて記録材に画像を形成する画像形成装置の制御方法であって、
記録のために供給された記録材に無線タグが配置されているかどうかを検出する無線タグ検出工程と、
無線タグが配置されていることを検出したとき、前記記録材に前記無線タグ在りを示す付加情報の記録を発生させる記録制御工程とを備えることを特徴とする画像形成装置の制御方法。
【請求項１４】
前記無線タグに処分が必要な有意情報が有るか否かを判定する判定工程を更に備え、
前記記録制御工程では、該判定工程で無線タグに有意情報が有ると判定した場合に、前記記録材に前記無線タグ在りを示す付加情報の記録を発生させることを特徴とする請求項１３に記載の画像形成装置の制御方法。
【請求項１５】
前記無線タグは情報を記憶する記憶手段を有し、
前記判定工程では、前記無線タグ検出手段が前記無線タグの記憶手段から読み出したデータから有意情報が有るか否かを判定することを特徴とする請求項１４に記載の画像形成装置の制御方法。
【請求項１６】
前記無線タグは情報を記憶する記憶手段を有し、
前記判定工程では、前記記憶手段への情報の記憶動作により有意情報が有ると判定することを特徴とする請求項１４に記載の画像形成装置の制御方法。
【請求項１７】
前記無線タグは情報を記憶する記憶手段を有し、
前記無線タグ検出工程では、前記無線タグの記憶手段に記憶されているデータから、その無線タグの取付位置情報を読み出し、
前記記録制御工程は、前記取付位置情報に基づいて前記無線タグの取り付け位置の標識となる付加情報の記録を発生させることを特徴とする請求項１３に記載の画像形成装置の制御方法。
【請求項１８】
前記無線タグ在りを示す付加情報は、前記無線タグを破壊できる前記記録材上の場所を示す、前記無線タグの少なくともアンテナを切断するための切断補助線を含むことを特徴とする請求項１７に記載の画像形成装置の制御方法。
【請求項１９】
請求項１３乃至１８のいずれか１つに記載の画像形成装置の制御方法の各工程をコンピュータに実行させるための制御プログラム。
【請求項２０】
請求項１９に記載の制御プログラムを記憶したコンピュータ読み出し可能な記憶媒体。
【手続補正２】
【補正対象書類名】明細書
【補正対象項目名】００１３
【補正方法】変更
【補正の内容】
【００１３】
上記目的を達成するため、本発明の画像形成装置は、入力した記録情報に応じて記録材に画像を形成する画像形成装置であって、記録のために供給された記録材に無線タグが配置されているかどうかを検出する無線タグ検出手段と、無線タグが配置されていることを検出したとき、前記記録材に前記無線タグ在りを示す付加情報の記録を発生させる記録制御手段とを備えることを特徴とする（実施形態１乃至８に相当）。
【手続補正３】
【補正対象書類名】明細書
【補正対象項目名】００１４
【補正方法】変更
【補正の内容】
【００１４】
ここで、前記無線タグに処分が必要な有意情報が有るか否かを判定する判定手段を更に備え、前記記録制御手段は、該判定手段が無線タグに有意情報が有ると判定した場合に、前記記録材に前記無線タグ在りを示す付加情報の記録を発生させる。また、前記無線タグは情報を記憶する記憶手段を有し、前記判定手段は、前記無線タグ検出手段が前記無線タグの記憶手段から読み出したデータから有意情報が有るか否かを判定する（実施形態４に相当）。また、前記無線タグは情報を記憶する記憶手段を有し、前記判定手段は、前記記憶手段への情報の記憶動作により有意情報が有ると判定する（実施形態６に相当）。前記無線タグ在りを示す付加情報は、有意情報が有るか否かの情報を含む（実施形態７に相当）。
【手続補正４】
【補正対象書類名】明細書
【補正対象項目名】００１５
【補正方法】変更
【補正の内容】
【００１５】
また、前記無線タグは情報を記憶する記憶手段を有し、前記無線タグ検出手段は、前記無線タグの記憶手段に記憶されているデータから、その無線タグの取付位置情報を読み出し、前記記録制御手段は、前記取付位置情報に基づいて前記無線タグの取り付け位置の標識となる付加情報の記録を発生させる。ここで、前記無線タグ在りを示す付加情報は、前記無線タグを破壊できる前記記録材上の場所を示す。前記無線タグ在りを示す付加情報は、前記無線タグの少なくともアンテナを切断するための切断補助線を含む（実施形態２乃至７に相当）。
【手続補正５】
【補正対象書類名】明細書
【補正対象項目名】００１７
【補正方法】変更
【補正の内容】
【００１７】
又、本発明の画像形成装置の制御方法は、入力した記録情報に応じて記録材に画像を形成する画像形成装置の制御方法であって、記録のために供給された記録材に無線タグが配置されているかどうかを検出する無線タグ検出工程と、無線タグが配置されていることを検出したとき、前記記録材に前記無線タグ在りを示す付加情報の記録を発生させる記録制御工程とを備えることを特徴とする。
【手続補正６】
【補正対象書類名】明細書
【補正対象項目名】００１８
【補正方法】変更
【補正の内容】
【００１８】
ここで、前記無線タグに処分が必要な有意情報が有るか否かを判定する判定工程を更に備え、前記記録制御工程では、該判定工程で無線タグに有意情報が有ると判定した場合に、前記記録材に前記無線タグ在りを示す付加情報の記録を発生させる。また、前記無線タグは情報を記憶する記憶手段を有し、前記判定工程では、前記無線タグ検出手段が前記無線タグの記憶手段から読み出したデータから有意情報が有るか否かを判定する。また、前記無線タグは情報を記憶する記憶手段を有し、前記判定工程では、前記記憶手段への情報の記憶動作により有意情報が有ると判定する。また、前記無線タグは情報を記憶する記憶手段を有し、前記無線タグ検出工程では、前記無線タグの記憶手段に記憶されているデータから、その無線タグの取付位置情報を読み出し、前記記録制御工程は、前記取付位置情報に基づいて前記無線タグの取り付け位置の標識となる付加情報の記録を発生させる。また、前記無線タグ在りを示す付加情報は、前記無線タグを破壊できる前記記録材上の場所を示す、前記無線タグの少なくともアンテナを切断するための切断補助線を含む。
【手続補正７】
【補正対象書類名】明細書
【補正対象項目名】００１９
【補正方法】変更
【補正の内容】
【００１９】
上記画像形成装置の制御方法の各工程をコンピュータに実行させるための制御プログラム、及び該制御プログラムを記憶したコンピュータ読み出し可能な記憶媒体をも提供する。